(57)【要約】【目的】この発明の目的は、カーテン生地に丈方向の波形のひだを維持させることができ、立体感や豪華さを持続させることにある。【構成】このため、この発明は、柔軟な材質のカーテン生地を平面視において幅方向各側に交互に円弧状に膨らんで連続する波形形状になるように加工処理を施し、カーテン生地を吊持するフックを設け、このフックは平面視において幅方向各側に交互に円弧状に膨らんで連続する波形形状に形成して設け、カーテン生地の上部に左右方向に延びるフック収容部を形成して設け、このフック収容部にフックを挿入してカーテン生地を平面視において幅方向各側に交互に円弧状に膨らむ波形形状に安定化させたことを特徴とする。【選択図】        図１
2005021333.tif 000002
【特許請求の範囲】
【請求項１】
柔軟な材質のカーテン生地を平面視において幅方向各側に交互に円弧状に膨らんで連続する波形形状になるように加工処理を施し、前記カーテン生地を吊持するフックを設け、このフックは平面視において幅方向各側に交互に円弧状に膨らんで連続する波形形状に形成して設け、前記カーテン生地の上部に左右方向に延びるフック収容部を形成して設け、このフック収容部に前記フックを挿入して前記カーテン生地を平面視において幅方向各側に交互に円弧状に膨らむ波形形状に安定化させたことを特徴とするカーテン。
【請求項２】
柔軟な材質のカーテン生地を平面視において幅方向各側に交互に円弧状に膨らんで連続する波形形状になるように加工処理を施し、前記カーテン生地を吊持するフックを設け、このフックは平面視において長手方向中間部位を挟んで両側部位が幅方向各側に互いに逆方向に円弧状に膨らむ波形形状に形成して設け、前記フックを長手方向に複数並列するとともに隣接するフックの対向する長手方向各端部をヒンジにより回動自在に連結して連続する波形形状のフック連続体を形成して設け、前記カーテン生地の上縁に前記連続する波形形状に形成したフック連続体を取付けて前記カーテン生地を平面視において幅方向各側に交互に円弧状に膨らむ波形形状に安定化させたことを特徴とするカーテン。
【請求項３】
柔軟な材質のカーテン生地を平面視において幅方向各側に交互に円弧状に膨らんで連続する波形形状になるように加工処理を施し、前記カーテン生地の上部に複数のハト目を左右方向に等間隔に配列して取付けて設け、これら複数のハト目に対して前記カーテン生地の幅方向各側から交互にポールを挿通して前記カーテン生地を平面視において幅方向各側に交互に円弧状に膨らむ波形形状に安定化させたことを特徴とするカーテン。
【請求項４】
柔軟な材質の帯形状のカーテン生地を平面視において幅方向一側に円弧状に膨らんだ形状になるように加工処理を施し、前記カーテン生地の上部で且つ左右方向各側縁近傍にハト目を取付けて設け、前記帯形状のカーテン生地を左右方向に複数並列するとともに隣接するカーテン生地を交互に幅方向両側に円弧状に膨らんだ状態で配列して隣接するカーテン生地の対向する左右方向側部に取付けたハト目どうしを一致させて設け、これら一致された複数のハト目に対して前記帯形状のカーテン生地の幅方向各側から交互にポールを挿通して前記帯形状のカーテン生地を平面視において幅方向両側に交互に円弧状に膨らむ波形形状に安定化させたことを特徴とするカーテン。
【発明の詳細な説明】
【０００１】
【発明の属する技術分野】
本発明はカーテンに係り、特に、カーテン生地に丈方向の波形のひだを維持させることができ、立体感や豪華さを持続し得るカーテンに関する。
【０００２】
【従来の技術】
カーテンにおいては、外部からの視線や直射日光を遮るだけでなく、立体感及び豪華さを持たせるために、波形のひだを形成して設けている。
【０００３】
従来のカーテンには、波形多孔板の表面を繊維シートで被覆した上型及び下型との間にカーテン生地を強く挟み、上型及び下型の一方から過熱蒸気を供給しながら他方から吸引してカーテン生地に所定時間の湿熱処理を施し、その後カーテン生地に冷風を吹き付けて急冷することにより、波形のひだを形成したものがある（例えば、特許文献１参照。）。
また、従来のカーテンには、カーテン生地の上部を一部重ねて縫い合わせることにより、波形のひだを形成したものがある（例えば、特許文献２参照。）。
【０００４】
【特許文献１】
特開平８−１３３２６号公報（特許請求の範囲、図１）
【特許文献２】
特開平９−１００９４号公報（第２・３頁、図１２〜図１４）
【０００５】
【発明が解決しようとする課題】
ところで、従来のカーテンは、カーテン生地を過熱蒸気等による加工処理を施すことにより波形のひだを形成し、また、カーテン生地の上部を一部重ねて縫い合わせることにより波形のひだを形成している。
【０００６】
ところが、カーテン生地に過熱蒸気等による加工処理を施して波形のひだを形成した場合には、長時間使用した場合に、ひだが次第に無くなってしまったり、ひだを維持することができなくなったり、立体感及び豪華さを持続させることが困難な不都合がでる可能性があった。
また、カーテン生地の一部重ねて縫い合わせることにより波形のひだを形成した場合には、縫製加工が複雑になるとともに生地幅を大きく取る必要があり、経済的に不利となる問題がある。
【０００７】
【課題を解決するための手段】
そこで、この発明は、上述の不都合を除去するために、柔軟な材質のカーテン生地を平面視において幅方向各側に交互に円弧状に膨らんで連続する波形形状になるように加工処理を施し、前記カーテン生地を吊持するフックを設け、このフックは平面視において幅方向各側に交互に円弧状に膨らんで連続する波形形状に形成して設け、前記カーテン生地の上部に左右方向に延びるフック収容部を形成して設け、このフック収容部に前記フックを挿入して前記カーテン生地を平面視において幅方向各側に交互に円弧状に膨らむ波形形状に安定化させたことを特徴とする。
【０００８】
【発明の実施の形態】
この発明のカーテンは、平面視において幅方向各側に交互に円弧状に膨らんで連続する波形形状になるように加工処理を施した柔軟な材質のカーテン生地の上部に左右方向に延びるフック収容部を形成して設け、このフック収容部に波形形状のフックを挿入してカーテン生地を平面視において幅方向各側に交互に円弧状に膨らむ波形形状に安定化させたことにより、カーテン生地のフック収容部にフックを挿入することによって、カーテン生地に形成された丈方向の波形のひだを保持させることができる。また、カーテン生地の上部を一部重ねて縫い合わせることによりひだを形成していないので、生地幅を大きく取る必要がない。
【０００９】
【実施例】
次に、本発明の実施例を図面に基づいて説明する。
【００１０】
図１〜図４は、この発明の第１実施例を示すものである。図１は、本発明を適用したカーテン２を示すものである。カーテン２は、ポリエステル繊維等による幅広形状の柔軟な材質のカーテン生地４により形成され、フック６によりポール８に吊持される。このカーテン生地４は、平面視において、幅方向Ａ各側に交互に円弧状に膨らんで連続する波形形状になるように、例えば蒸気による加熱パーマネント加工等の処理を施している。
【００１１】
このカーテン生地４を吊持するフック６は、図２・図３に示す如く、フック本体１０と掛止部１２とから構成される。フック本体１０は、平面視において幅方向Ａ各側に山部１０Ｐと谷部１０Ｄとが交互に円弧状に膨らんで連続する長手方向に長い波形形状に形成されている。なお、この実施例のフック本体１０は、長手方向両側の端部を幅方向Ａ各側に対して互いに逆方向に円弧状に膨らむ山部１０Ｐ・谷部１０Ｄに形成している。掛止部１２は、フック本体１０の長手方向両端部位上方に鉤状に形成して設けられ、前記ポール８の吊持部１４に掛止される。ポール８には、両端にストッパ１６を取付けて設けている。
【００１２】
カーテン生地４は、図４に示す如く、上部に上縁４Ｕに沿って左右方向Ｂに延びる鞘状のフック収容部１８を形成して設けている。フック収容部１８には、フック６のフック本体１０が挿入される。フック収容部１８に挿入されたフック６の掛止部１２は、カーテン生地４の上縁４Ｕから突出される。また、カーテン生地４の両側縁４Ｒ・４Ｌには、可撓性を有するウエイトコード２０を上縁４Ｕから下縁４Ｂまで埋設している。
【００１３】
このカーテン２は、連続する波形形状に形成されたカーテン生地４のフック収容部１８にフック６を挿入して、カーテン生地４を平面視において幅方向Ａ各側に山部４Ｐと谷部４Ｄとが交互に円弧状に膨らむ波形形状に安定化させている。
【００１４】
このように波形形状に形成されたカーテン２は、図１に示す如く、フック６の掛止部１２をポール８の吊持部１４に掛止することにより吊持される。
【００１５】
この実施例においては、フック６のフック本体１０の長手方向両側の端部を幅方向Ａ各側に対して互いに逆方向に円弧状に膨らむ山部１０Ｐと谷部１０Ｄとに形成し、このフック６をカーテン生地４のフック収容部１８に挿入したカーテン２を２枚用意している。
【００１６】
この２枚のカーテン２は、図１において右側のカーテン生地４の左右方向Ｂ左側の谷部４Ｄと左側のカーテン生地４の左右方向Ｂ右側の山部４Ｐとが傾斜して略平行に重なり合うように配設して、フック６の掛止部１２をポール８の吊持部１４に掛止することにより、のれん風にポール８に吊持している。
【００１７】
このように、このカーテン２は、連続する波形形状に形成された柔軟な材質のカーテン生地４の上部に左右方向Ｂに延びるフック収容部１８を形成し、このフック収容部１８に波形形状のフック６を挿入して、カーテン生地４を平面視において幅方向Ａ各側に交互に円弧状に膨らむ波形形状に安定化させている。
【００１８】
これにより、このカーテン２は、連続する波形形状に形成されたカーテン生地４のフック収容部１８にフック６を挿入することによって、カーテン生地４に丈方向Ｃの波形のひだを保持させることができる。また、カーテン生地４の上部を一部重ねて縫い合わせることによりひだを形成していないので、生地幅を大きく取る必要がない。
【００１９】
このため、このカーテン２は、カーテン生地４に丈方向Ｃの波形のひだを維持させることができ、縫製加工を簡素化して少ない生地で立体感や豪華さを出させることができ、経済的である。
【００２０】
なお、この実施例においては、フック６をカーテン生地４のフック収容部１８に挿入したカーテン２を２枚用意してポール８にのれん風に吊持したが、図５・図６に示す如く、１枚のカーテン２をタピストリー風に吊持することもできる。
【００２１】
図５に示すカーテン２をポール８に吊持するフック６は、図６に示す如く、波形形状のフック本体１０の長手方向両側の端部を幅方向Ａ各側に対して互いに同方向に円弧状に膨らむ山部１０Ｐ・１０Ｐに形成し、このフック６を連続する波形形状に形成されたカーテン生地４のフック収容部１８に挿入して、カーテン生地４の左右方向Ｂ両側が対称になるにように山部４Ｐを配置し、フック６の掛止部１２をポール８の吊持部１４に掛止することにより、１枚のカーテン２をタピストリー風にポール８に吊持している。
【００２２】
また、この実施例のフック６は、フック本体１０に掛止部１２を一体に設けたが、図７〜図９に示す如く別体に設けることもできる。
【００２３】
図７に示すカーテン２をポール８に吊持するフック２２は、図８に示す如く、フック本体２４と掛止具２６とから構成される。フック本体２４は、平面視において幅方向Ａ各側に山部２４Ｐと谷部２４Ｄとが交互に円弧状に膨らんで連続する長手方向に長い波形形状に形成され、挿通孔２８を形成して設けている。
【００２４】
掛止具２４は、図９に示す如く、フック本体２４を両側から挟む平行な２枚の挟持部３０と、この２枚の挟持部３０の上縁を連結する連結部３２とにより断面逆Ｕ字形状に形成して設けている。掛止具２６は、連結部３２に前記ポール８の吊持部１４に掛止される鉤状の掛止部３４を設け、各挟持部３０に挿通孔３６を夫々形成して設けている。挿通孔３６には、挟持部２８の外側からボルト３８及び袋状のナット４０を挿通して互いに締め付ける。
【００２５】
このカーテン２は、連続する波形形状に形成されたカーテン生地４の上部の上縁４Ｕに沿って左右方向Ｂに延びる鞘状のフック収容部１８を形成し、このフック収容部１８にフック２２のフック本体２４を挿入することにより、カーテン生地４を平面視において幅方向Ａ各側に山部４Ｐと谷部４Ｄとが交互に円弧状に膨らむ波形形状に安定化させて設けている。
【００２６】
このカーテン２は、図７に示す如く、カーテン生地４の上縁４Ｕのフック収容部１８両側からフック本体２４を挟むように掛止具２６の２枚の挟持部３０を当て、フック収容部１８の図示しない挿通孔とフック本体２４の挿通孔２８と挟持部３０の挿通孔３６とにボルト３８及びナット４０を挿通して互いに締め付けて掛止具２６を取付け、この係止具２６の掛止部３４をポール８の吊持部１４に掛止することにより吊持される。
【００２７】
これにより、このカーテン２は、カーテン生地４の上縁４Ｕのフック収容部１８両側からフック本体２４を挟むように掛止具２６をボルト３８及びナット４０で取付けていることにより、カーテン生地４とフック２２とを掛止具２６によって堅固に一体化することができる。
【００２８】
また、フック２２と掛止具２６とは、１枚のカーテン２をタピストリー風にポール８に吊持している場合にも、図１０〜図１２に示す如く別体に設けることもできる。
【００２９】
即ち、図１０に示すカーテン２をタピストリー風にポール８に吊持するフック２２は、図１１に示す如く、フック本体２４と掛止具２６とから構成され、波形形状に形成されるフック本体２４に挿通孔２８を形成して設けている。
【００３０】
掛止具２６は、図１２に示す如く、２枚の挟持部３０とこれらを連結する連結部３２とにより断面逆Ｕ字形状に形成して設け、連結部３２に鉤状の掛止部３４を設け、挟持部３０に挿通孔３６を形成して設けている。挟持部３０の挿通孔３６には、ボルト３８及び袋状のナット４０を挿通して互いに締め付ける。
【００３１】
このカーテン２は、図１０に示す如く、連続する波形形状に形成されたカーテン生地４の上部のフック収容部１８にフック２２のフック本体２４を挿入してカーテン生地４を波形形状に安定化させ、カーテン生地４の上縁４Ｕのフック収容部１８両側からフック本体２４を挟むように２枚の挟持部３０を当て、ボルト３８及びナット４０を締め付けて掛止具２６を取付け、掛止部３４をポール８の吊持部１４に掛止することによりタピストリー風に吊持される。
【００３２】
これにより、このカーテン２は、カーテン生地４の上縁４Ｕ両側からフック本体２４を挟むように掛止具２６をボルト３８及びナット４０で取付けていることにより、カーテン生地４とフック２２とを掛止具２６によって堅固に一体化することができる。
【００３３】
また、図１０〜図１２に示すカーテン２は、図１３〜図１５に示す如くのれん風に形成することもできる。
【００３４】
カーテン２は、図１３に示す如く、連続する波形形状に形成されたカーテン生地４の上部に上縁４Ｕに沿って左右方向Ｂに延びる鞘状のフック収容部１８を形成して設け、このフック収容部１６に四角形状の挿通孔１８Ａを形成して設け、フック収容部１８の下方に複数枚の帯形状の細幅部４Ａを垂下して設けるとともに隣接する細幅部４Ａの対向する左右方向Ｂ各側縁４ＡＬ・４ＡＲが重なるように配設している。
【００３５】
このカーテン２を吊持するフック２２は、フック本体２４と掛止具２６とから構成される。波形形状に形成されるフック本体２４には、図１４に示す如く、四角形状の挿通孔２８を形成して設けている。掛止具２６は、図１５に示す如く、２枚の挟持部３０とこれらを連結する連結部３２とにより断面逆Ｕ字形状に形成して設け、連結部３２に鉤状の掛止部３４を設け、挟持部３０に四角形状の挿通孔３６を形成して設けている。挟持部３０の挿通孔３６には、ボルト３８及び袋状で四角形状のナット４０を挿通して互いに締め付ける。
【００３６】
このカーテン２は、連続する波形形状に形成されたカーテン生地４の上部のフック収容部１８にフック２２のフック本体２４を挿入してカーテン生地４を波形形状に安定化させ、カーテン生地４の上縁４Ｕのフック収容部１８両側からフック本体２４を挟むように２枚の挟持部３０を当て、フック収容部１８の挿通孔１８Ａとフック本体２４の挿通孔２８と挟持部３０の挿通孔３６とにボルト３８及びナット４０を挿通して互いに締め付けて掛止具２６を取付け、掛止部３４を図示しないポール８の吊持部１４に掛止することによりのれん風に吊持される。
【００３７】
これにより、このカーテン２は、カーテン生地４の上縁４Ｕ両側からフック本体２４を挟むように掛止具２６をボルト３８及びナット４０で取付けていることにより、カーテン生地４とフック２２とを掛止具２６によって堅固に一体化することができる。
【００３８】
さらに、図１６〜図１９は、第１実施例を適用したスクリーン風のカーテン２を示すものである。このカーテン２は、図１６に示す如く、ポリエステル繊維等による幅広形状の柔軟な材質のカーテン生地４により形成され、フック６によりレール４２に吊持される。このカーテン生地４は、平面視において、幅方向Ａ各側に交互に円弧状に膨らんで連続する波形形状になるように加工処理を施している。
【００３９】
フック６は、図１７に示す如く、フック本体１０と掛止部１２とから構成される。フック本体１０は、平面視において幅方向Ａ各側に山部１０Ｐと谷部１０Ｄとが交互に円弧状に膨らんで連続する長手方向に長い波形形状に形成され、また、長手方向両側の端部を幅方向Ａ各側に対して互いに同方向に円弧状に膨らむ山部１０Ｐ・１０Ｐに形成している。掛止部１２は、フック本体１０の長手方向両端部位上方に環状に形成して設けられ、図１８に示す如く、前記レール４２に取付けたブラケット４４の吊持部４６に取付ねじ４８により取付けられる。
【００４０】
また、カーテン２には、図１９に示す如く、波形ウエイト５０を設けている。波形ウエイト５０は、平面視において幅方向Ａ各側に山部５０Ｐと谷部５０Ｄとが交互に円弧状に膨らんで連続する長手方向に長い波形形状に形成され、また、長手方向両側の端部を幅方向Ａ各側に対して互いに同方向に円弧状に膨らむ山部５０Ｐ・５０Ｐに形成している。
【００４１】
カーテン生地４は、図１６に示す如く、上部に上縁４Ｕに沿って左右方向Ｂに延びる鞘状のフック収容部１８を形成して設けている。フック収容部１８には、フック６のフック本体１０が挿入される。フック収容部１８に挿入されたフック６の掛止部１２は、カーテン生地４の上縁４Ｕから突出される。また、カーテン生地４の両側縁４Ｒ・４Ｌには、可撓性を有するウエイトコード２０を上縁４Ｕから下縁４Ｂまで埋設している。
【００４２】
カーテン生地４は、下部に下縁４Ｂに沿って左右方向Ｂに延びる鞘状のウエイト収容部５２を形成して設けている。ウエイト収容部５２には、波形ウエイト５０が挿入される。また、カーテン生地４は、左右方向Ｂの中間にリングテープ５４を上下方向に２列平行に配列して設けている。リングテープ５４には、昇降コード５６を挿通している。昇降コード５６は、下端をカーテン生地４の下縁４Ｂに固設し、上端をレール４２内に収容して補助コード５８に連絡している。
【００４３】
このカーテン２は、連続する波形形状に形成されたカーテン生地４のフック収容部１８にフック６を挿入するとともにウエイト収容部５２に波形ウエイト５０を挿入して、カーテン生地４を平面視において幅方向Ａ各側に山部４Ｐと谷部４Ｄとが交互に円弧状に膨らむ波形形状に安定化させるとともに、カーテン生地４の左右方向Ｂ両側が対称になるにように山部４Ｐを配置し、フック６の掛止部１２をレール４２に取付けたブラケット４４の吊持部４６に取付ねじ４８によって取付けることによりスクリーン風に吊持される。
【００４４】
レール４２にスクリーン風に吊持されたカーテン２は、補助コード５８を操作することにより昇降コード５６によって昇降し、開閉することができる。
【００４５】
このように、このカーテン２は、連続する波形形状に形成された柔軟な材質のカーテン生地４の上部のフック収容部１８に波形形状のフック６を挿入するとともに下部のウエイト収容部５２に波形ウエイト５０を挿入して、カーテン生地４を平面視において幅方向Ａ各側に交互に円弧状に膨らむ波形形状に安定化させている。
【００４６】
これにより、このカーテン２は、連続する波形形状に形成されたカーテン生地４のフック収容部１８及びウエイト収容部５２にフック６及び波形ウエイト５０を挿入することによって、カーテン生地４に形成された丈方向Ｃの波形のひだを保持させることができる。また、カーテン生地４の上部を一部重ねて縫い合わせることによりひだを形成していないので、生地幅を大きく取る必要がない。
【００４７】
このため、このカーテン２は、カーテン生地４に丈方向Ｃの波形のひだを維持させることができ、縫製加工を簡素化して少ない生地で立体感や豪華さを出させることができ、経済的である。
【００４８】
なお、このスクリーン風のカーテン２は、フック６のフック本体１０に掛止部１２を一体に設けたが、図２０〜図２３に示す如く別体に設けることもできる。
【００４９】
図２０に示すカーテン２をスクリーン風にレール４２に吊持するフック２２は、図２１に示す如く、フック本体２４と掛止具２６とから構成され、波形形状に形成されるフック本体２４に挿通孔２８を形成して設けている。
【００５０】
掛止具２６は、図２２に示す如く、２枚の挟持部３０とこれらを連結する連結部３２とにより断面逆Ｕ字形状に形成して設け、連結部３２に鉤状の掛止部３４を設け、挟持部３０に挿通孔３６を形成して設けている。挿通孔３６には、ボルト３８及び袋状のナット４０を挿通して互いに締め付ける。
【００５１】
このカーテン２は、図２０に示す如く、連続する波形形状に形成されたカーテン生地４の上部のフック収容部１８に波形形状のフック２２を挿入するとともに下部のウエイト収容部５２に波形ウエイト５０を挿入してカーテン生地４を波形形状に安定化させ、図２３に示す如く、カーテン生地４の上縁４Ｕのフック収容部１８両側からフック本体２４を挟むように２枚の挟持部３０を当て、ボルト３８及びナット４０を挿通して締め付けて掛止具２６を取付け、掛止部３４をレール４２に取付けたブラケット４４の吊持部４６に取付ねじ４８で取付けることによりスクリーン風に吊持される。
【００５２】
これにより、このカーテン２は、カーテン生地４の上縁４Ｕ両側からフック本体２４を挟むように掛止具２６をボルト３８及びナット４０で取付けていることにより、カーテン生地４とフック２２とを掛止具２６によって堅固に一体化することができる。
【００５３】
また、このカーテン２においては、カーテン生地４の下部のウエイト収容部５２に波形ウエイト５０を挿入してスクリーン風のカーテン２を形成したが、図２４に示す如く、バルーンスクリーン風のカーテン２に形成することもできる。
【００５４】
図２４に示すカーテン２は、カーテン生地４の上部のフック収容部１８にフック２２を挿入する一方で、カーテン生地４の下部に波形ウエイト５０を挿入せず、カーテン生地４の両側縁４Ｒ・４Ｌに可撓性を有するウエイトコード２０を埋設している。
【００５５】
このカーテン２は、左右方向Ｂの中間にリングテープ５４を上下方向に２列平行に配列するとともに両側縁４Ｒ・４Ｌ近傍にリングテープ５４を上下方向に配列して昇降コード５６を夫々挿通し、各昇降コード５６の下端に紡錘型ウエイト６０を取付けるとともに上端をレール４２内に収容して補助コード５８に連絡することにより、バルーンスクリーン風に形成したものである。
【００５６】
このカーテン２は、補助コード５８を操作することにより、昇降コード５６によってカーテン生地４の下縁４Ｂをバルーン状に形成して昇降し、開閉することもできる。
【００５７】
図２５〜図２９は、第２実施例を示すものである。図２５において、２はカーテンである。カーテン２は、幅広形状の柔軟な材質のカーテン生地４により形成され、フック６２により吊持される。このカーテン生地４は、平面視において、幅方向Ａ各側に交互に円弧状に膨らんで連続する波形形状になるように加工処理を施している。
【００５８】
フック６２は、図２６に示す如く、フック本体６４と掛止部６６とから構成される。フック本体６４は、平面視において長手方向中間部位を挟んで両側部位の山部６４Ｐと谷部６４Ｄとが幅方向Ａ各側に互いに逆方向に円弧状に膨らむ波形形状に形成して設けている。掛止部６６は、フック本体６４の長手方向中間部位上方に方形枠状に形成して設け、図示しないレールに沿って走行するランナ群の各キャリヤに回転自在に掛止される。なお、方形枠状の掛止部６６は、第１実施例と同様に、鉤状あるいは環状に形成することもできる。
【００５９】
このフック６２は、図２５に示す如く、フック本体６４を長手方向に複数並べて、隣接するフック６２を構成する２つのフック本体６４の対向する長手方向一端部の山部６４Ｐと長手方向他端部の谷部６４Ｄとをヒンジ６８により回動自在に連結して連続する波形形状のフック連続体７０を形成して設けている。ヒンジ６８は、隣接する一方のフック６２に取付けられる一側取付体７２と、他方のフック６２に取付けられる他側取付体７４と、これら各側取付体７２・７４を回動自在に連結するピン７６とにより、フック６２と別体に形成されている。
【００６０】
フック連続体７０は、図２７に示す如く、ヒンジ６８により隣接するフック６２を構成する各フック本体６４の山部６４Ｐと谷部６４Ｄとが近接するように重ならせて折りたたむことができるとともに、図２５に示す如く、ヒンジ６８により隣接するフック６２を構成する各フック本体６４の山部６４Ｐと谷部６４Ｄとが離間するように引き離して延長することができる。
【００６１】
前記カーテン生地４は、上縁４Ｕの両側縁４Ｒ・４Ｌ間に各フック本体６４の長さに相当する間隔で切欠部７８を形成して設けるとともに、両側縁４Ｒ・４Ｌ及び両側縁４Ｒ・４Ｌ間にフック本体６４の長さに相当する間隔で可撓性を有するウエイトコード２０を上縁４Ｕから下縁４Ｂまで埋設している。
【００６２】
このカーテン２は、図２５に示す如く、連続する波形形状に形成したフック連続体７０の各フック本体６４をカーテン生地４の上縁４Ｕに、フック本体６４の長さに相当する間隔で形成した切欠部７８にフック本体６４間のヒンジ６８が位置されるように取付けている。これにより、カーテン２は、連続する波形形状に形成されたカーテン生地４を平面視において幅方向Ａ各側に山部４Ｐと谷部４Ｄとが交互に円弧状に膨らむ波形形状に安定化させている。
【００６３】
このように波形形状に形成されたカーテン２は、各フック６２の掛止部６６を図示しないレールに沿って走行するランナ群の各キャリヤに回転自在に掛止することにより吊持される。吊持されたカーテン２は、図２５に示す如く、ヒンジ６８により隣接するフック６２を構成するフック本体６４の各山部６４Ｐと各谷部６４Ｄとが離間するように引き離して延長することによりカーテン生地４が広げられ、閉じられている。
【００６４】
閉じられたカーテン２は、図２８に示す如く、開き始めると、掛止部６６を中心に各フック６２が回転されて、ヒンジ６８により隣接する各フック本体６４の山部６４Ｐと谷部６４Ｄとが次第に近接するように折りたたまれる。開き始めたカーテン２は、さらに開くと、図２９に示す如く、掛止部６６を中心に各フック６２がさらに回転されて、ヒンジ６８により隣接する各フック本体６４の山部６４Ｐと谷部６４Ｄとが近接するように重なって折りたたまれることによりカーテン生地４がたたまれ、開かれる。
【００６５】
このように、このカーテン２は、連続する波形形状に形成したフック連続体７０を連続する波形形状に形成されたカーテン生地４の上縁４Ｕに取付けて、カーテン生地４を平面視において幅方向Ａ各側に交互に円弧状に膨らむ波形形状に安定化させている。
【００６６】
これにより、このカーテン２は、カーテン生地４の上縁４Ｕにフック連続体７０を取付けることによって、カーテン生地４に形成された丈方向Ｃの波形のひだを保持させることができる。また、カーテン生地４の上部を一部重ねて縫い合わせることによりひだを形成していないので、生地幅を大きく取る必要がない。
【００６７】
このため、このカーテン２は、連続する波形形状に形成されたカーテン生地４に丈方向Ｃの波形のひだを維持させることができ、縫製加工を簡素化して少ない生地で立体感や豪華さを出させることができ、経済的である。
【００６８】
また、このカーテン２は、フック連続体７０の各フック６２をヒンジ６８により回動自在に連結して折りたたみ延長自在に設けていることにより、カーテン生地４に形成した丈方向Ｃの波形のひだを維持した状態で、各フック６２によって閉じた状態と開いた状態にすることができ、立体感を与えることができる。
【００６９】
なお、この実施例においては、１枚のカーテン２を例示したが、２枚のカーテン２を吊持することができる。
【００７０】
２枚のカーテン２を吊持する場合には、図３０に示す如く、連続する波形形状に形成された２枚のカーテン生地４の上縁４Ｕに夫々フック連続体７０を取付けている。右側のカーテン生地４に取付けたフック連続体７０には、左右方向Ｂ左端に臨むフック６２のフック本体６４に左側案内突起８０Ｌを設けている。左側のカーテン生地４に取付けたフック連続体７０には、左右方向Ｂ右端に臨むフック６２のフック本体６４に右側案内突起８０Ｒを設けている。左側案内突起８０Ｌと右側案内突起８０Ｒとは、互いに逆方向に湾曲するように突出させて設けている。
【００７１】
２枚のカーテン２を開閉する際には、右側のカーテン生地４の左右方向Ｂ左側の谷部４Ｄと左側のカーテン生地４の左右方向Ｂ右側の山部４Ｐとが、傾斜して略平行に重なりあった状態で接離する。このとき、左側案内突起８０Ｌと右側案内突起８０Ｒとは、左側の山部４Ｐと右側の谷部４Ｄとが重なり合った状態で円滑に接離するように案内することができる。
【００７２】
これにより、この２枚のカーテン２は、開閉をスムーズに行うことができる。
【００７３】
なお、この実施例のカーテン２は、幅広形状の柔軟な材質のカーテン生地４により形成したが、図３１・図３２に示す如く帯形状に形成することができる。
【００７４】
図３１・図３２に示すカーテン２を吊持するフック６２は、波形形状に形成したフック本体６４とこのフック本体に形成した掛止部６６とから構成され、ヒンジ６８により回動自在に連結して連続する波形形状のフック連続体７０を形成して設けている。
【００７５】
前記帯形状のカーテン生地４は、フック本体６４の長さよりもわずかに長い幅を有する帯形状に形成して設けるとともに、両側縁４Ｒ・４Ｌにウエイトコード２０を上縁４Ｕから下縁４Ｂまで埋設している。この帯形状のカーテン生地４は、平面視において、左右方向Ｂ中間部位を挟んで両側部位が幅方向Ａ各側に互いに逆方向に円弧状に膨らむ波形形状になるように加工処理を施している。
【００７６】
このカーテン２は、図３１に示す如く、連続する波形形状に形成したフック連続体７０の各フック本体６４を各カーテン生地４の上縁４Ｕに、隣接するカーテン生地４の各側縁４Ｌ・４Ｒが重なり合うように取付けている。これにより、カーテン２は、カーテン生地４を平面視において幅方向Ａ各側に山部４Ｐと谷部４Ｄとが交互に円弧状に膨らんで連続する波形形状に安定化させている。また、このカーテン２は、カーテン生地４の上部の各側縁４Ｌ・４Ｒに各側案内突体８２Ｌ・８２Ｒを取付けて設けている。各側案内突体８２Ｌ・８２Ｒは、互いに逆方向に湾曲するように突出させて設けている。
【００７７】
このカーテン２は、各フック６２の掛止部６６を図示しないレールに沿って走行するランナ群の各キャリヤに回転自在に掛止することにより吊持される。吊持されたカーテン２は、図３１に示す如く、ヒンジ６８により隣接するフック６２を構成する各フック本体６４の山部６４Ｐと谷部６４Ｄとが離間するように引き離して延長することによりカーテン生地４を広げられ、閉じられている。
【００７８】
閉じられて吊持されたカーテン２は、開き始めると、掛止部６６を中心に各フック６２が回転されて、ヒンジ６８により隣接する各フック本体６４の山部６４Ｐと谷部６４Ｄとが次第に近接するように折りたたまれ、さらに開くと、図３２に示す如く、ヒンジ６８により各フック６２がさらに回転されて、隣接する各フック本体６４の山部６４Ｐと谷部６４Ｄとが近接するように重なって折りたたまれることにより各カーテン生地４がたたまれ、開かれる。
【００７９】
このとき、カーテン２は、右側のカーテン生地４の左右方向Ｂ左側縁４Ｌの左側案内突体８２Ｌと左側のカーテン生地４の左右方向Ｂ右側縁４Ｒの右側案内突体８２Ｒとによって、右側のカーテン生地４の左右方向Ｂ左側縁４Ｌと左側のカーテン生地４の左右方向Ｂ右側縁４Ｒとが重なり合った状態で円滑に接離するように案内することができる。
【００８０】
これにより、帯形状のカーテン２は、開閉をスムーズに行うことができる。
【００８１】
また、この各側案内突体８２Ｌ・８２Ｒを設けた帯形状のカーテン２は、１枚を例示したが、図３３・図３４に示す如く２枚のカーテン２を吊持することができる。
【００８２】
図３３・図３４に示す２枚のカーテン２は、波形形状に形成された帯形状の複数のカーテン生地４の上縁４Ｕに夫々フック連続体７０の各フック６２を、隣接するカーテン生地４の各側縁４Ｌ・４Ｒが重なり合うように取付けている。
【００８３】
各カーテン２は、右側のカーテン生地４に取付けたフック連続体７０の、左右方向Ｂ左端に臨むフック６２のフック本体６４に左側案内突起８０Ｌを設け、左側のカーテン生地４に取付けたフック連続体７０の、左右方向Ｂ右側のフック６２のフック本体６４に右側案内突起８０Ｒを設け、これら左側案内突起８０Ｌと右側案内突起８０Ｒとは互いに逆方向に湾曲するように突出させて設ける。
【００８４】
また、２枚のカーテン２には、帯形状の複数のカーテン生地４の上部の各側縁４Ｌ・４Ｒに各側案内突体８２Ｌ・８２Ｒを取付けて設けている。各側案内突体８２Ｌ・８２Ｒは、互いに逆方向に湾曲するように突出させて設けている。
【００８５】
２枚のカーテン２を開閉する際には、右側のカーテン生地４に取付けたフック連続体７０の左側案内突起８０Ｌと左側のカーテン生地４に取付けたフック連続体７０の右側案内突起８０Ｒとによって、右側のカーテン生地４左側の谷部４Ｄと左側のカーテン生地４右側の山部４Ｐとが重なり合った状態で円滑に接離するように案内することができる。
【００８６】
また、２枚のカーテン２を開閉する際には、隣接する右側のカーテン生地４の左側案内突体８２Ｌと左側のカーテン生地４の右側案内突体８２Ｒとによって、右側のカーテン生地４の左右方向Ｂ左側縁４Ｌと左側のカーテン生地４の左右方向Ｂ右側縁４Ｒとが重なり合った状態で円滑に接離するように案内することができる。
【００８７】
これにより、帯形状の２枚のカーテン２は、開閉をスムーズに行うことができる。
【００８８】
なお、この実施例のフック連続体７０は、別体のヒンジ６８によりフック６２を回動自在に連結して連続する波形形状に形成したが、図３５〜図３７に示す如く一体に設けることもできる。
【００８９】
図３５〜図３７に示すヒンジ８４は、フック本体６４と鉤状の掛止部６６とを備えたフック６２の長手方向各端部に設けられている。ヒンジ８４は、図３６に示す如く、フック本体６４の長手方向一端部の山部６４Ｐに形成した上下において平行な一対の一側取付体８６と、長手方向他端側の谷部６４Ｄに形成した前記一対の一側取付体８６間に挿入位置される他側取付体８８と、これら各側取付体８６・８８に挿通されて回動自在に連結するピン９０とから構成される。
【００９０】
フック６２は、フック本体６４を長手方向に複数並べて、隣接するフック６２を構成する一方のフック本体６４の長手方向一端部の一側取付体８６間に他方のフック本体６４の長手方向他端部の他側取付体８８を挿入してピン９０を挿通してヒンジ８４を構成し、このヒンジ８４により回動自在に連結して連続する波形形状のフック連続体７０を形成して設けている。
【００９１】
このフック連続体７０は、図３５に記す如く、ヒンジ８４により隣接するフック６２を構成する各フック本体６４の山部６４Ｐと谷部６４Ｄとが離間するように引き離して延長することができるとともに、図３７に示す如く、ヒンジ８４により隣接するフック６２を構成する各フック本体６４の山部６４Ｐと谷部６４Ｄとが近接するように重ならせて折りたたむことができる。
【００９２】
これにより、このフック連続体７０は、カーテン２の開閉をスムーズに行うことができ、ヒンジ８４をフック６２に一体に形成して設けていることにより、フック６２どうしの連結剛性を高めることができる。
【００９３】
図３８は、第３実施例を示すものである。図３８において、２はタピストリー風のカーテンである。カーテン２は、幅広形状の柔軟な材質のカーテン生地４により形成され、両側縁４Ｒ・４Ｌに可撓性を有するウエイトコード２０を上縁４Ｕから下縁４Ｂまで埋設している。このカーテン生地４は、平面視において、幅方向Ａ各側に交互に円弧状に膨らんで連続する波形形状になるように加工処理を施している。カーテン生地４の上部には、複数の永久磁石からなるハト目９２を上縁４に沿って左右方向Ｂに等間隔に配列して取付けて設けている。
【００９４】
カーテン２は、複数のハト目９２に対してカーテン生地４の幅方向Ａ各側から交互にポール９４を挿通して、カーテン生地４を平面視において幅方向Ａ各側に山部４Ｐと谷部４Ｄとが交互に円弧状に膨らむ波形形状に形成して設けている。また、このカーテン２は、複数のハト目９２に対してカーテン生地４の幅方向Ａ各側から交互にポール９４を挿通した場合に、カーテン生地４の各側縁４Ｌ・４Ｒに夫々山部４Ｐが形成されるように、カーテン生地４に複数のハト目９２に取付けて設けている。ポール９４には、両端に永久磁石からなるストッパ９６を取付けて設けている。
【００９５】
この第３実施例のカーテン２は、連続する波形形状に形成されたカーテン生地４の上部に複数のハト目９２を左右方向Ｂに等間隔に配列して取付け、これら複数のハト目９２に対してカーテン生地４の幅方向Ａ各側から交互にポール９４を挿通し、カーテン生地４を平面視において幅方向Ａ各側に山部４Ｐと谷部４Ｄとが交互に円弧状に膨らむ波形形状に安定化させるとともに、カーテン生地４の左右方向Ｂ両側が対称になるように夫々山部４Ｐを配置することにより、タピストリー風にポール９４に吊持している。
【００９６】
これにより、このカーテン２は、カーテン生地４のハト目９２にポール９４を挿通することによって、カーテン生地４に形成された丈方向Ｃの波形のひだを保持させることができる。また、カーテン生地４の上部を一部重ねて縫い合わせることによりひだを形成していないので、生地幅を大きく取る必要がない。
【００９７】
このため、このカーテン２は、連続する波形形状に形成されたカーテン生地４に丈方向Ｃの波形のひだを維持させることができ、縫製加工を簡素化して少ない生地で立体感や豪華さを出させることができ、経済的である。
【００９８】
また、このカーテン２は、カーテン生地４の上部に永久磁石からなるハト目９２を取付けて設けるとともに、ポール９４の両端に永久磁石からなるストッパ９６を取付けて設けていることにより、カーテン生地４の各側縁４Ｌ・４Ｒ側のハト目９２をストッパ９６に吸着させて、たたまれることを防止することができ、開いた状態に維持することができる。
【００９９】
なお、この実施例においては、１枚のカーテン２を例示したが、図３９〜４３に示す如く２枚のカーテン２を吊持することができる。
【０１００】
図３９〜図４３に示す連続する波形形状に形成された２枚のカーテン２は、図３９に示す如く、幅広形状の柔軟な材質のカーテン生地４の両側縁４Ｒ・４Ｌに可撓性を有するウエイトコード２０を上縁４Ｕから下縁４Ｂまで埋設し、カーテン生地４の上部に複数の永久磁石からなるハト目９２を上縁４に沿って左右方向Ｂに等間隔に配列して取付けて設けている。
【０１０１】
２枚のカーテン２は、図３９において、複数のハト目９２に対してカーテン生地４の幅方向Ａ各側から交互にポール９４を挿通して、カーテン生地４を平面視において幅方向Ａ各側に山部４Ｐと谷部４Ｄとが交互に円弧状に膨らむ波形形状に形成して設けるとともに、右側のカーテン生地４の左右方向Ｂ左側の谷部４Ｄと左側のカーテン生地４の左右方向Ｂ右側の山部４Ｐとが傾斜して略平行に重なり合うように配設して、ポール９４に吊持している。ポール９４は、両端に永久磁石からなるストッパ９６を取付けて設けている。
【０１０２】
また、このカーテン２は、図４０・図４１に示す如く、右側のカーテン生地４の上部の左側縁４Ｌに左側案内突体８２Ｌを取付けて設けるとともに、左側のカーテン生地４の上部の右側縁４Ｒに右側案内突体８２Ｒを取付けて設けている。
各側案内突体８２Ｌ・８２Ｒは、図４２・図４３に示す如く、互いに逆方向に湾曲するように突出させて対向させ、カーテン生地４の上部の各側縁４Ｌ・４Ｒに取付けて設けている。
【０１０３】
２枚のカーテン２を開閉する際には、右側のカーテン生地４の左右方向Ｂ左側の谷部４Ｄと左側のカーテン生地４の左右方向Ｂ右側の山部４Ｐとが、傾斜して略平行に重なりあった状態で接離する。このとき、左側案内突体８２Ｌと右側案内突体８２Ｒとは、左側の山部４Ｐと右側の谷部４Ｄとが重なり合った状態で円滑に接離するように案内することができる。
【０１０４】
これにより、２枚のカーテン２は、開閉をスムーズに行うことができる。
【０１０５】
また、この実施例においては、１本のポール９４によりカーテン２を吊持したが、図４４・図４５に示す如く２本のポール９４に各々カーテン２を吊持することができる。
【０１０６】
図４４に示す２枚のカーテン２は、幅広形状の柔軟な材質の連続する波形形状に形成されたカーテン生地４の両側縁４Ｒ・４Ｌに可撓性を有するウエイトコード１８を上縁４Ｕから下縁４Ｂまで埋設し、カーテン生地４の上部に複数の永久磁石からなるハト目９２を上縁４に沿って左右方向Ｂに等間隔に配列して取付けて設けている。
【０１０７】
２本のポール９４は、図４５に示す如く、両端に永久磁石からなるストッパ９６を夫々取付けて設け、平面視において右側のポール９４と左側のポール９４とが平行し且つ正面視において右側のポール９４の左端部分と左側のポールの右端部分とが重なるように、連結具９８により右側のポール９４の左端部分と左側のポールの右端部分とを連結してポール連結体１００を形成して設けている。連結具９８には、板状の取付金具１０２を設けている。
【０１０８】
２枚のカーテン２は、複数のハト目９２に対してカーテン生地４の幅方向Ａ各側から交互にポール連結体１００のポール９４を夫々挿通して、カーテン生地４を平面視において幅方向Ａ各側に山部４Ｐと谷部４Ｄとが交互に円弧状に膨らむ波形形状に形成して設けている。
【０１０９】
２枚のカーテン２は、閉じた状態において、右側のカーテン生地４の左右方向Ｂ左側の谷部４Ｄと左側のカーテン生地４の左右方向Ｂ右側の山部４Ｐとが正面視において重なりあった状態になる。
【０１１０】
これにより、２枚のカーテン２は、閉じた状態において、右側のカーテン生地４と左側のカーテン生地４とを正面視において重なりあった状態にすることができ、遮光性や隠蔽性を高めることができる。
【０１１１】
なお、ポール連結体１００は、連結具９８に取付金具１０２を設けたが、図４６に示す如く、連結具９８に取付穴１０４を形成することができ、また、図４７に示す如く、連結具９８に鉤状の取付具１０６を設けるとともに２本のポール９４の各一側端に夫々板状の取付金具１０８を設けることができる。
【０１１２】
さらに、ポール連結体１００は、図４８に示す如く、各ポール９４に夫々複数のハト目９２を摺動自在に装着し、このハト目９２の環状の吊持具１１０にカーテン生地４の掛止具（図示せず）を掛止することにより、カーテン生地４に波形のひだ形成してポール９４に吊持することができる。
【０１１３】
図４９・図５０は、第４実施例を示すものである。カーテン２は、図４９に示す如く、柔軟な材質で帯形状のカーテン生地４により形成され、両側縁４Ｒ・４Ｌに可撓性を有するウエイトコード１８を上縁４Ｕから下縁４Ｂまで埋設している。柔軟な材質の帯形状のカーテン生地４は、平面視において幅方向一側に円弧状に膨らんだ形状になるように加工処理を施している。このカーテン２は、カーテン生地４の上部で且つ左右方向Ｂ各側縁４Ｌ・４Ｒ近傍に永久磁石からなる長円形状のハト目９２を取付けて設けている。ポール９４は、図５０に示す如く、断面長円形状に形成され、両端に永久磁石からなるストッパ９６を取付けて設けている。
【０１１４】
カーテン２は、帯形状のカーテン生地４を左右方向Ｂに複数並べて、隣接するカーテン生地４を交互に幅方向Ａ両側に円弧状に膨らんだ状態で配列して、隣接するカーテン生地４の対向する左右方向Ｂ側縁４Ｌ・４Ｒを重ねて、ハト目９２どうしを一致させて設けている。
【０１１５】
カーテン２は、隣接するカーテン生地４の対向する左右方向Ｂ側縁４Ｌ・４Ｒを重ねた状態で、一致されたハト目９２に対して帯形状のカーテン生地４の幅方向Ａ各側から交互にポール９４を挿通して、帯形状のカーテン生地４を平面視において幅方向Ａ両側に山部４Ｐと谷部４Ｄとが交互に円弧状に膨らむ波形形状に安定化させている。
【０１１６】
第４実施例のカーテン２は、左右方向Ｂに並列した複数の帯形状のカーテン生地４の対向する左右方向Ｂ側縁４Ｌ・４Ｒを重ね、一致されたハト目９２に対してポール９４を挿通して、カーテン生地４を平面視において山部４Ｐと谷部４Ｄとが交互に円弧状に膨らむ波形形状に安定化させてポール９４に吊持している。
【０１１７】
これにより、このカーテン２は、帯形状のカーテン生地４のハト目９２にポール９４を挿通することによって、カーテン生地４に形成された丈方向Ｃの波形のひだを保持させることができる。また、カーテン生地４の上部を一部重ねて縫い合わせることによりひだを形成していないので、生地幅を大きく取る必要がない。
【０１１８】
このため、このカーテン２は、カーテン生地４に丈方向Ｃの波形のひだを維持させることができ、縫製加工を簡素化して少ない生地で立体感や豪華さを出させることができ、経済的である。
【０１１９】
また、このカーテン２は、複数の帯形状のカーテン生地４の対向する左右方向Ｂ各側縁４Ｌ・４Ｒを重ねた状態で、一致されたハト目９２にポール９４を挿通してカーテン生地４を波形形状に安定化させていることにより、遮光性や隠蔽性を高めることができる。
【０１２０】
さらに、このカーテン２は、カーテン生地４に永久磁石からなるハト目９２を取付けて設けるとともにポール９４の両端に永久磁石からなるストッパ９６を取付けて設けていることにより、隣接するカーテン生地４のハト目９２どうしを吸着させるとともに左右方向Ｂ両端のカーテン生地４のハト目９２をポール９４のストッパ９６に吸着させることができ、隣接する各カーテン生地４を広げて左右方向Ｂ各側縁４Ｌ・４Ｒを重ねた状態に維持することができる。
【０１２１】
さらにまた、このカーテン２は、長円形状のハト目９２に断面長円形状のポール９４を挿通していることにより、カーテン２の縦方向の姿勢を安定させることができる。
【０１２２】
なお、この実施例においては、カーテン生地４に永久磁石からなる長円形状のハト目９２を取付けて設け、ポール９４を断面長円形状に形成して両端に永久磁石からなるストッパ９６を取付けて設けたが、図５１・図５２に示す如くハト目９２やポール９４の形状を変更することができる。
【０１２３】
図５１・図５２に示すカーテン２は、図５０に示す如く、帯形状の平面視において円弧状に膨らんだ形状のカーテン生地４にハト目９２を取付けるとともにハト目９２に挿通されるポール９４を設け、ポール９４の両端にストッパ９６を取付けている。カーテン生地４に取付けられるハト目９２は、図５２に示す如く、環状に形成して設けるとともに内周の径方向対称位置に溝部１１２を形成して設けている。ハト目９２に挿通されるポール９４は、断面円形状に形成するとともに外周の径方向対称位置に前記溝部１１２に摺動可能に係合される突部１１４を形成して設けている。
【０１２４】
これにより、このカーテン２は、ハト目９２の溝部１１２にポール９４の突部１１４を係合させていることにより、カーテン２の縦方向の姿勢をさらに安定させることができる。
【０１２５】
【発明の効果】
このように、この発明のカーテンは、連続する波形形状に形成されたカーテン生地のフック収容部にフックを挿入することによって、カーテン生地に形成された丈方向の波形のひだを保持させることができる。また、カーテン生地４の上部を一部重ねて縫い合わせることによりひだを形成していないので、生地幅を大きく取る必要がない。
このため、このカーテンは、カーテン生地に丈方向の波形のひだを維持させることができ、縫製加工を簡素化して少ない生地で立体感や豪華さを出させることができ、経済的である。
【図面の簡単な説明】
【図１】第１実施例を示すカーテンの斜視図である。
【図２】第１実施例のフックの平面図である。
【図３】第１実施例のフックの斜視図である。
【図４】第１実施例のカーテン生地の斜視図である。
【図５】第１の変形例を示すカーテンの斜視図である。
【図６】第１の変形例のフックの斜視図である。
【図７】第２の変形例を示すカーテンの斜視図である。
【図８】第２の変形例のフックの斜視図である。
【図９】第２の変形例の掛止具の斜視図である。
【図１０】第３の変形例を示すカーテンの斜視図である。
【図１１】第３の変形例のフックの斜視図である。
【図１２】第３の変形例の掛止具の斜視図である。
【図１３】第４の変形例を示すカーテン生地の斜視図である。
【図１４】第４の変形例のフックの斜視図である。
【図１５】第４の変形例の掛止具の斜視図である。
【図１６】第５の変形例を示すカーテンの斜視図である。
【図１７】第５の変形例のフックの斜視図である。
【図１８】第５の変形例のブラケット及び掛止部の斜視図である。
【図１９】第５の変形例の波形ウエイトの斜視図である。
【図２０】第６の変形例を示すカーテンの斜視図である。
【図２１】第６の変形例のフックの斜視図である。
【図２２】第６の変形例の掛止具の斜視図である。
【図２３】第６の変形例のブラケット及び掛止部の斜視図である。
【図２４】第７の変形例を示すカーテンの斜視図である。
【図２５】第２実施例を示すカーテンの斜視図である。
【図２６】第２実施例のフックの平面図である。
【図２７】第２実施例のフック連続体の平面図である。
【図２８】第２実施例の開き始めた状態のカーテンの斜視図である。
【図２９】第２実施例の完全に開いた状態のカーテンの斜視図である。
【図３０】第１の変形例のカーテンの斜視図である。
【図３１】第２の変形例のカーテンの斜視図である。
【図３２】第２の変形例の完全に開いた状態のカーテンの斜視図である。
【図３３】第３の変形例の開き始めた状態のカーテンの斜視図である。
【図３４】第３の変形例のカーテンの斜視図である。
【図３５】第４の変形例の延長した状態のフック連続体の斜視図である。
【図３６】第４の変形例のたたみ始めた状態のフック連続体の斜視図である。
【図３７】第４の変形例の完全にたたんだ状態のフック連続体の斜視図である。
【図３８】第３実施例を示すカーテンの斜視図である。
【図３９】第１の変形例のカーテンの斜視図である。
【図４０】第１の変形例の左側のカーテン生地の右側縁の要部斜視図である。
【図４１】第１の変形例の右側のカーテン生地の左側縁の要部斜視図である。
【図４２】第１の変形例の右側案内突体の斜視図である。
【図４３】第１の変形例の左側案内突体の斜視図である。
【図４４】第２の変形例のカーテンの斜視図である。
【図４５】第２の変形例のポール連結体の斜視図である。
【図４６】第３の変形例のポール連結体の斜視図である。
【図４７】第４の変形例のポール連結体の斜視図である。
【図４８】第５の変形例のポール連結体の斜視図である。
【図４９】第４実施例を示すカーテンの斜視図である。
【図５０】第４実施例のポールの部分斜視図である。
【図５１】第１の変形例のカーテンの斜視図である。
【図５２】第１の変形例のポールの部分斜視図である。
【符号の説明】
２  カーテン
４  カーテン生地
６  フック
８  ポール
１０  フック本体
１２  掛止部
１４  吊持部
１６  ストッパ
１８  フック収容部
２０  ウエイトコード
【図１】
2005021333.tif 000003
【図２】
2005021333.tif 000004
【図３】
2005021333.tif 000005
【図４】
2005021333.tif 000006
【図５】
2005021333.tif 000007
【図６】
2005021333.tif 000008
【図７】
2005021333.tif 000009
【図８】
2005021333.tif 000010
【図９】
2005021333.tif 000011
【図１０】
2005021333.tif 000012
【図１１】
2005021333.tif 000013
【図１２】
2005021333.tif 000014
【図１３】
2005021333.tif 000015
【図１４】
2005021333.tif 000016
【図１５】
2005021333.tif 000017
【図１６】
2005021333.tif 000018
【図１７】
2005021333.tif 000019
【図１８】
2005021333.tif 000020
【図１９】
2005021333.tif 000021
【図２０】
2005021333.tif 000022
【図２１】
2005021333.tif 000023
【図２２】
2005021333.tif 000024
【図２３】
2005021333.tif 000025
【図２４】
2005021333.tif 000026
【図２５】
2005021333.tif 000027
【図２６】
2005021333.tif 000028
【図２７】
2005021333.tif 000029
【図２８】
2005021333.tif 000030
【図２９】
2005021333.tif 000031
【図３０】
2005021333.tif 000032
【図３１】
2005021333.tif 000033
【図３２】
2005021333.tif 000034
【図３３】
2005021333.tif 000035
【図３４】
2005021333.tif 000036
【図３５】
2005021333.tif 000037
【図３６】
2005021333.tif 000038
【図３７】
2005021333.tif 000039
【図３８】
2005021333.tif 000040
【図３９】
2005021333.tif 000041
【図４０】
2005021333.tif 000042
【図４１】
2005021333.tif 000043
【図４２】
2005021333.tif 000044
【図４３】
2005021333.tif 000045
【図４４】
2005021333.tif 000046
【図４５】
2005021333.tif 000047
【図４６】
2005021333.tif 000048
【図４７】
2005021333.tif 000049
【図４８】
2005021333.tif 000050
【図４９】
2005021333.tif 000051
【図５０】
2005021333.tif 000052
【図５１】
2005021333.tif 000053
【図５２】
2005021333.tif 000054